(57)【要約】  第１の軸線上に配向された光の向きを変えるための構造化表面を有する光誘導フィルムに結合された、光透過性の滑らない踏み板。滑らない踏み板は、専用の照明器具によるかのように、特定的に照射されているように見え得るが、代わりに一般的な環境光によって照射されてもよい。
2018533682.tif 000002
【特許請求の範囲】
【請求項１】
上側主面及び下側主面を備える光透過性の摩擦層であって、前記上側主面は静摩擦係数が少なくとも０．５０である粗面を備える、光透過性の摩擦層と、
上側主面及び下側主面を有する環境光被照射層であって、上側から下側へと以下の順番となった層、すなわち、
プリントされたグラフィックを備えるグラフィック層、
光の方向を変えるための第１の構造化表面及び前記第１の表面の反対側の第２の表面を有する転向フィルム層であって、前記第１の構造化表面は複数の細長い鋸刃形状の光誘導機構を備える、転向フィルム層、並びに
反射体を備える反射層、
を備える、環境光被照射層と、
を備える、接着剤付き裏面を有する、前面受光で自発光する滑り止め物品。
【請求項２】
前記光透過性の摩擦層と前記環境光被照射層との間の追加の層を更に備える、請求項１に記載の物品。
【請求項３】
前記環境光被照射層を構成する前記層の間の追加の層を更に備える、請求項１に記載の物品。
【請求項４】
前記光透過性の摩擦層と前記環境光被照射層との間の空隙層を更に備える、請求項１に記載の物品。
【請求項５】
前記光透過性の摩擦層の前記下側主面は、前記環境光被照射層の前記上側主面に接着結合されている、請求項１に記載の物品。
【請求項６】
前記上側主面の静摩擦係数は少なくとも０．６０である、請求項５に記載の物品。
【請求項７】
上側主面及び下側主面を有する接着層であって、前記上側主面が、前記環境光被照射層の前記下側主面に結合されている接着層を更に備える、請求項５に記載の物品。
【請求項８】
上側主面及び下側主面を有する剥離ライナーであって、前記上側主面はシリコーン系の剥離層を備え、前記上側主面は前記接着層の前記下側主面に接着結合されている剥離ライナーを更に備える、請求項７に記載の物品。
【請求項９】
前記粗面は、平均粒径が少なくとも５００μｍである複数の光透過性の粒子を含む、請求項１に記載の物品。
【請求項１０】
前記粗面は、平均粒径が少なくとも６００μｍである複数の光透過性の粒子を含む、請求項９に記載の物品。
【請求項１１】
前記粗面は、平均粒径が少なくとも７００μｍである複数の光透過性の粒子を含む、請求項１０に記載の物品。
【請求項１２】
前記転向フィルムは、前記鋸刃形状の光誘導機構の方向と直交する向きを有する、請求項１に記載の物品。
【請求項１３】
前記グラフィック層が光輝性材料を含む、請求項１に記載の物品。
【請求項１４】
前記光透過性の摩擦層は、前記上側主面に適用された屈折率整合材料を含む、請求項１に記載の物品。
【請求項１５】
前記屈折率整合材料はＵＶ硬化アクリレート樹脂を含む、請求項１４に記載の物品。
【請求項１６】
シートを構成する、請求項１に記載の物品。
【請求項１７】
ロールを構成する、請求項１に記載の物品。
【請求項１８】
前記光透過性の摩擦層の静摩擦係数は少なくとも０．６０である、請求項１に記載の接着物品。
【発明の詳細な説明】
【背景技術】
【０００１】
安全性の向上、及び滑りや転倒といった事故の発生の低減のため、滑り易い表面に、滑り止めのテープ及び踏み板が載置されていることが多い。滑り止めのテープ及び踏み板は典型的には、鉱物ベースの粗い上面、又はテクスチャを付けたポリマー製の上面を有する、接着剤付き裏面を有するテープ又はシートを含む。これらを、例えば、階段の踏み板や濡れた領域に載置して、人の滑りの発生を減らすことができる。したがって、これらは住居及び仕事場の安全性において重要な役割を有し得る。かかる耐滑り性を有する製品群の１つが、ミネソタ州Ｓｔ．Ｐａｕｌの３Ｍ  ＣｏｍｐａｎｙからＳａｆｅｔｙ−Ｗａｌｋのラベルで販売されている。このラベルで販売される製品の特徴は、接着剤付き裏面を有する耐滑り性を有するシート材に関して選択肢がいくつか存在することであり、これには、不透明及び半透明、並びに細かい、普通、粗いなどの粗さの違いが含まれる。
【発明の概要】
【０００２】
滑り止めのテープ及び踏み板は、前面受光する環境光被照射シート材と結合される。場所によっては、この組み合わせにより、踏み板が視覚的により目立つようになる。特に、通常の照明条件において、踏み板専用の照明が何ら存在しない場合に、集中させた専用の１つ以上の前方の照明があるかのように、踏み板が照明されているように見える。このように視覚的に目立つ度合が向上することは、特定の領域に滑らない踏み板が設置されていることに人が気付くのが有益である用途にとって、特に好適であり得る。グラフィック層が存在する場合もあり、これにより、滑り止めの踏み板が、そうした領域内にいる人にメッセージを伝えることが可能になる（例えば、「危険」若しくは「注意」、及び／又は商業的な宣伝内容）。
【図面の簡単な説明】
【０００３】
添付図面は、本明細書に組み込まれ、本明細書の一部をなし、記載と共に本発明の利点及び原理を説明する。図面中、
【図１】その末端に階段があることを特徴とする通路の図である。
【図２】環境光被照射滑り止めシートの外形図である。
【図３】環境光被照射層の側方断面図である。
【図４】図３の標示に関する光線追跡を示す図である。
【図５】例示の環境光被照射滑り止めシートの平面図である。
【図６】例示の環境光被照射滑り止めシートの平面図である。
【図７】例示の環境光被照射滑り止めシートの平面図である。
【図８】例示の環境光被照射滑り止めシートの平面図である。
【図９】例示の環境光被照射滑り止めシートの平面図である。
【発明を実施するための形態】
【０００４】
前面受光で「自発光する」シート材を、接着剤付き裏面を有する滑り止めシート材と組み合わせることによって、この滑り止めシート材を視覚的により際立たせることができ、この結果、人がこれに気付く可能性が高くなり、これにより、滑り又は転倒といった事故の可能性が低くなることでその人の全体的な安全性が潜在的に改善されることが発見されている。
【０００５】
図１は、ある実施形態においてかかる組み合わせがどのように見えるかを描いたものである。場面２００では、人２０１が通路を歩いて階段に近付いているのが見られる。人２０１の行路において目立って特徴的なのは、環境光被照射滑り止めシート２１０である。照明２０２は、図示したような通路を照明するために通例使用される一般的な照明である。これらは白熱灯若しくはナトリウム灯などの点光源とすることができるか、あるいはこれらは、細長い蛍光照明器具、又は指向型若しくは散乱型の照明技術の何らかの組み合わせとすることができる。この環境光を提供する照明２０２は、追加の電源器具及び照明器具が不要となるように、既存のものであるのが好ましい。シート２１０には特定の照明が特定的に向けられてはいないが、人２０１の視点からは、そうであるように見える。これにより、人２０１は、この領域、特にシート２１０に、よりよく気付くようになる。シート２１０は、静摩擦係数が少なくとも０．５である粗い頂面を有し、人２０１がシート２１０に踏み込むときに滑る可能性を低くする。シート２１０は、場面２００では最初の段の前に設置されるものとして示されているが、実際には階段の各踏み板に載置されてもよいか、又は、人が滑る可能性を低くすることが望まれるどのような場所に設置されてもよい。示された例では、シート２１０は複数の照明２０２の全体的な発光を受けているが、他の配置も可能である。シート２１０を回転させて発光効果を達成することも可能である。シート２１０は「環境光被照射」として言及されるが（そしてかかる言葉は本開示の他箇所でも使用されるが）、シート材を特定的に照射することも本開示の範囲内にある。「環境光被照射」は、言及している物体を標識付けることを意図しており、シートを環境光だけに限定するものとして読まれるべきではない。
【０００６】
図２は、フィルム積層体２３３を示しており、これはシート２１０の外形を描画したものである。滑り止め層２３０は、典型的には砥粒を含み、積層体の最上層を構成する。滑り止め層２３０の上面は粗く、少なくとも０．４、より理想的には少なくとも０．６の静摩擦係数を有する。滑り止め層２３０は、使用される材料、及び所望の安全パターン又は宣伝用パターンに応じて、不透明の領域を含んでよいか、又は１つ以上の光透過性の領域を含んでよい。例えば、鉱物の砥粒では通常、滑り止め層２３０が不透明になることになるが、他方で、酸化アルミニウム粒子を透明又は半透明のイオノマーに埋め込んで使用すると、光透過性の滑り止め層２３０を得ることができる。ある実施形態では、４８グリットの酸化アルミニウムの粒子が、デラウェア州ＷｉｌｍｉｎｇｔｏｎのＤｕＰｏｎｔ  Ｃｏｍｐａｎｙが販売するＳｕｒｌｙｎ（登録商標）ブランドのイオノマー樹脂の層の中に堆積され、これにより光透過性の基材が得られる。かかる実施形態が、ミネソタ州Ｓｔ．Ｐａｕｌの３Ｍ  Ｃｏｍｐａｎｙから、同社のＳａｆｅｔｙ−Ｗａｌｋ（商標）のブランドで、製品名「２２０  Ｃｌｅａｒ」として販売されている。滑り止め表面２５２は、ＵＶ硬化アクリレート樹脂又は当技術分野で知られている他のコーティングなどの、屈折率整合コーティングを含んでよく、これにより滑り止め層２３０の光透過率が更に向上するが、このことは、本明細書において更に記載する、滑り止め層の下のグラフィック層が付近の人に見られることを意図している特定の実施形態において、役立つ場合がある。米国特許第６，０２４，８２４号「シートの形態の物品、特に研磨用物品を作成する方法（Method of Making Articles in Sheet Form，Particularly Abrasive Articles）」は、火炎を発するノズルを有する火炎溶射装置などの溶射装置に粒子を通すことによって、滑り止め層２３０として使用可能な接着層を生み出すことのできる、滑らない物品を作成する方法について記載している。滑り止め層２３０を作成する他の方法が、当技術分野で知られている。
【０００７】
滑り止め層２３０には、環境光被照射層２２０が結合されている。環境光被照射層２２０については以下に記載するが、これは一般に、上から下に、グラフィック層、配列された光誘導機構を備える光転向フィルム、及び反射体を含む。他の介在層も含めることができる。環境光被照射層２２０の底面は接着層２１５と面接触しており、そして接着層２１５は次に、階段の踏み板、コンクリート製の床、等の敷設面に結合する。積層体２３３は、貼付けの利便性のために剥離ライナー（図２には図示せず）を備えてもよい。
【０００８】
環境光被照射層２２０の側方断面図が、図３に示されている。層２２０は、転向フィルム５２、反射体５４、散乱体５６、及びグラフィック６０を含む。層２２０はまた、転向フィルム５２と散乱体５６との間の任意選択的な空隙５８、及び、転向フィルム５２とグラフィック６０との間の任意選択的な空隙５９も含む。標示５０の縁の周囲に、任意選択的な縁テープ又は枠体６２及び６４を使用することができる。散乱体は転向フィルムの背後（反射体と転向フィルムとの間）に設置され、グラフィック６０は、見る人の視点から見て転向フィルムの前に残っている。この構造では、その背面を金属化５４した散乱体を、積層又は微細複製プロセスを介して転向フィルムに付加し、別個の反射体の必要がなくなるようにすることができる。使用時、転向フィルム５２は、標示を受動的に発光させるために、光源６６からの光をグラフィック６０及び見る人６１へと向ける。
【０００９】
転向フィルム５２は、例えば、鋸刃状プリズムフィルム、又は、光の方向を変えるための構造化表面を有する他の種類の光方向転換フィルムを用いて実装することができる。例えば、鋸刃状プリズムフィルムの代わりに線形のフレネルフィルムを使用することができる。別法として、鋸刃状でなく「屋根型」のプリズム角度を有する線形の微細構造を、構造化表面として代わりに使用してもよい。反射体５４は、鏡面反射体、例えば３Ｍ  ＣｏｍｐａｎｙのＥｎｈａｎｃｅｄ  Ｓｐｅｃｕｌａｒ  Ｒｅｆｌｅｃｔｏｒ（ＥＳＲ）を用いて実装できる。場合によっては、鏡面反射体は、角度広がりの量を制御できるように、規則的な又は不規則な構造を有してもよい。構造を有する鏡面反射体は、例えば、金属化された微細構造化フィルムを含む。場合によっては、反射体は本質的に半鏡面とすることができ、この場合、反射体が反射体に入射する光にもたらす拡散の量は小さいか、又は散乱の量は限定的である。半鏡面反射体は例えば、ＥＳＲフィルム上に低散乱コーティングを有する。任意選択的な空隙５９は、転向フィルム５２のプリズムの損傷の防止に役立ち得る。空隙により、屈折率の違いも生じる。構造の縁部は、空隙に水分又は混入物が進入するのを防止するために、封止されてもよい。封止技法は、テープ又は接着剤を使用するもの、あるいは更には複数の層を１つに溶着するものであってもよい。空隙の代わりに、隣接するフィルム層の屈折率とは大きく異なる屈折率を有する材料を使用し、これにより、空隙を有さずしたがってより高い耐久性を有し得る環境光被照射層を作り出すことも可能である。
【００１０】
グラフィック６０の上に任意選択的な散乱フィルムを設置することができる。追加的に又はかかる散乱フィルムの代わりに、特定の実施形態では、光透過性の滑り止め層２３０は、散乱体として働くことができる。
【００１１】
使用時、転向フィルム５２の光誘導機構（例えば鋸刃状プリズム）は、見る人６１のために標示を受動的に発光させるため、部屋の照明などの光源６６からの光をグラフィック６０へと向ける。環境光被照射層２２０、及び他の類似の実施形態を、米国特許第８，９１５，００２号「プリントされたグラフィック用の自発光する標示（Self Illuminated Signage for Printed Graphics）」の図４、米国特許出願公開第２０１４／５２５，８８２号「プリントされたグラフィック用の、照射式の成形両面標示（Self Illuminated Shaped and Two−sided Signage for Printed Graphics）」、及び、米国特許出願公開第２０１５／０６８０８０号「プリントされたグラフィック用の照射式の標示（Self Illuminated Signage for Printed Graphics）」との関連で、より詳細に記載する。これらはいずれも、参照によりその全体が本明細書に組み込まれている。敷設時に良好な「環境光照明」効果を達成するように転向フィルムの向きを修正するための方法が、特許出願第６２／１７１，４１３号に更に記載されている。
【００１２】
図４は、線４８で表される、図３の環境光被照射層２２０に関する光線追跡を示す図であり、受動発光の効果を生み出すために、転向フィルム３２が部屋の照明６６からの光を見る人６１へと向ける様子が示されている。見る人６１にとっては、転向フィルム層３２の上に配設された（図３に示す実施形態に示されているような）グラフィック層は、その上に専用の照明が光を当てているように見えるが、実際には環境光又は全体的な光によって照射されている。
【００１３】
図５は、環境光被照射滑り止めシート２４０のある実施形態の平面図である。シート２４０のグラフィック層は、斜めに配向された縞部を有する。縞部２４５は暗色とすることができ、一方、縞部２５０は例えば、シャルトルーズ色などの視認性の高い色とすることができる。上面全体に、光透過性の滑り止め層を備えることができる。シート２４０の環境光被照射層は、光誘導機構が水平に配向された状態で設置されており、シートが例えば床に接着されている場合には、頭上からの全体的な照明により、シート２４０は周囲の表面、例えば床よりも明るく見え、シートの向きの方向とほぼ直交する角度から接近している観察者２５１の気付くところとなる。
【００１４】
図６は、環境光被照射滑り止めシート２６０の更なる実施形態の平面図である。この実施形態では、環境光被照射層は、それぞれシート２６０のいずれかの側と直交する位置にいる２人の別個の観察者に向けて発光効果をもたらすように設計された交互の向きを有する、２つ以上の縞部を含む。特に、縞部２７０は、観察者２７５に向けてその発光タイプの効果をもたらす環境光被照射層を含み、一方、縞部２６５は、観察者２６５に向けてその発光タイプの効果をもたらす環境光被照射層を含む。このようにして、シート２６０は専用の照明によって照射されているように見えるので、シート２６０のいずれかの側から近付いている人がシート２６０に気付く可能性が高くなる。グラフィック層は、例えば異なる色を有するような、縞模様のパターンに対応していてよい。図２４０及び２６０は１方向又は２方向の照射タイプの効果を示しているが、環境光被照射標示の追加の領域及び向きにより、標識において、機構及び光源と直交する他の方向から見て明るい部分を作り出すことができる。
【００１５】
シート２４０、シート２６０等の上面全体が、先に記載したような光透過性の滑り止め層を備えていてもよいか、又は、縞模様の部分は、光透過性の滑り止め部分と不透明の滑り止め部分とで交互になっていてもよい。当然ながら、シートの不透明の区域の下に環境光被照射層の部分を有する必要はなく、これにより、追加の接着領域を提供でき、この結果、標示の丈夫さ及び耐摩耗性が改善される。
【００１６】
図７は、環境光被照射滑り止めシート２８０の更なる実施形態の平面図であり、シート２８０上にブロック文字で書かれた宣伝内容「ＳＩＧＮ」を示している。領域２９０は、第１の色又はグラフィックデザインを備えてもよく、またその下に環境光被照射層を含んでもよく、一方、ブロック文字体２９５は、不透明の滑り止め層を使用することによって、又は光透過性の層を使用するが環境光被照射層を省くことによって、不透明のままとされてもよい。当然ながら、ブロック文字体は、単純に周囲の領域と異なる色であってもよく、かつ／又は、ブロック文字体は、これが異なる接近角度において最もよく「輝き」、視覚的により際立つように、向きの異なる環境光被照射層を有する文字を含んでもよい。
【００１７】
図８は、環境光発光滑り止めシート３００の更なる実施形態の平面図である。この実施形態では、グラフィック領域３０５は、環境光被照射層の６つの異なる向きを有する６つの個別の領域を有する六角形のデザインを含む。これらのグラフィック領域３０５により、照射タイプの機構がシート３００の周囲３６０度に存在することが可能になる。この効果は、環境光被照射層を手で切断し配向することによって、又は製造工程中に光誘導機構及びプリズムパターンを作り出す器具を用いて、生み出すことができる。例えば頭上から好適に照明された床の上に敷設されると、観察者３０６、３０７、及び３０８にはそれぞれ、グラフィック領域の別個の領域が照射されているように見えることになる。
【００１８】
図９は、環境光発光滑り止めシート５２０の更なる実施形態の平面図である。周縁領域２２５は環境光被照射層を含むが、内部領域３３０はそうであってもなくてもよい。ある実施形態では、シート５２０全体が光透過性の滑り止め層で覆われている。別の実施形態では、周縁領域２２５は不透明の滑り止め層を含み、一方、内部領域３３０は環境光被照射層を有する。これらのいくつかの実施例によって諒解できるように、大まかにはアーチスト又はグラフィックデザイナーの想像力によって限定される、多くの更なる可能な組み合わせが存在する。
【００１９】
実施例
グラフィックを有する環境光被照射滑り止めシートを製造し、輝度値を測定した。これらの実施例は、単に例示を目的とするものに過ぎず、添付の特許請求の範囲を限定することを意味するものではない。
【００２０】
試験方法−輝度測定
天井に取り付けた人工的な蛍光照明で照明された高さ１０フィートの部屋の床に、サンプルを載置した。Ｍｉｎｏｌｔａ  Ｌｕｍｉｎａｎｃｅ  Ｍｅｔｅｒ  ＬＳ−１００（Ｋｏｎｉｃａ  Ｍｉｎｏｌｔａ  Ｓｅｎｓｉｎｇ  Ｓｉｎｇａｐｏｒｅ  Ｐｔｅ  Ｌｔｄから入手可能）を使用して輝度測定を行った。輝度値をｃｄ／ｍ２（ニット）の単位で表し、表１に記録した。実施例１から４に関して、実施例の輝度値を比較例１の輝度値で除算して利得を計算し、結果を表１に記録した。
【００２１】
サンプルには全て、Ｒｏｌａｎｄ  ＳＰ−３００ｉエコ溶剤プリンタ（Ｒｏｌａｎｄ  ＵＳＡから入手可能）を使用してプリントを行った。
【００２２】
比較例１−サンプル構造の白色ビニル標識
Ｒｏｌａｎｄ  ＳＰ−３００ｉを使用して、厚さ５０．８ミクロンの白色ビニルサンプル（ミネソタ州Ｓｔ．Ｐａｕｌの３Ｍ  Ｃｏｍｐａｎｙから入手可能な＃１８０Ｃ−１５１−０１０白色ビニルフィルム）をプリントした。プリントされたパターンは、面積が約５×２１インチの黄色と黒色の斜めの縞部を有する、典型的な床の安全警告パターンであった。黄色の領域の輝度を、以下に記載する様々な構造の輝度の比較を行うための基準輝度として使用した。
【００２３】
実施例１−サンプル構造の高輝度ＳＡＦＥＴＹ  ＷＡＬＫ
大きめのサイズの６２０Ｂ  ＳＡＦＥＴＹ  ＷＡＬＫ層、３Ｍ  ＥＮＶＩＳＩＯＮ  Ｍａｔｔｅ  ８５５０  Ｏｖｅｒｌａｍｉｎａｔｅ（いずれもミネソタ州Ｓｔ．Ｐａｕｌの３Ｍ  Ｃｏｍｐａｎｙから入手可能）、２ミルのＰＥＴスペーサ層、及び環境光被照射層を使用して、見る人の最も近くから床まで連続的に、実証用の高輝度ＳＡＦＥＴＹ  ＷＡＬＫを構築した。
【００２４】
大きめのサイズの６２０Ｂ  ＳＡＦＥＴＹ  ＷＡＬＫ材料は、プリントされた標識の寸法よりも縁部をおよそ１／２インチ大きく切断した。この余分な幅で、最終的な標識を床表面に接着した。
【００２５】
Ｒｏｌａｎｄ  ＳＰ３００ｉプリンタを使用して、８５５０オーバーラミネートを非接着面上にプリントした。プリント面を乾燥させ、次いでＳＡＦＥＴＹ  ＷＡＬＫ接着剤に接着し、これにより、ＳＡＦＥＴＹ  ＷＡＬＫ接着剤内に挟み込まれたプリントされた像を保護した。
【００２６】
８５５０接着層と環境光被照射層の転向フィルムとの間に空隙を確保するために、８５５０に２ミルのＰＥＴ層を接着した。
【００２７】
環境光被照射層は、米国特許第８，９１５，００２号「プリントされたグラフィック用の自発光する標示」に記載されているように及び図４に見られるように配向された、鋸刃形状の機構を備えていた。環境光被照射層の背面を蒸着アルミニウムで被覆して、高反射表面を得た。
【００２８】
次いで、イソプロピルアルコールで床をきれいにしてワックスを除去し、続いて大きめのサイズのＳＡＦＥＴＹ  ＷＡＬＫ材料の縁部を床に接着することによって、標識を床に密着させた。
【００２９】
結果として得られる構造の黄色の領域を、比較例１と比較可能な頭上の蛍光照明直下の位置に高輝度ＳＡＦＥＴＹ  ＷＡＬＫ標識を配置した状態で、Ｍｉｎｏｌｔａのカメラを用いて測定した。結果を表１に記録する。
【００３０】
実施例２−サンプル構造の高輝度境界
小さめのサイズの６２０Ｂ  ＳＡＦＥＴＹ  ＷＡＬＫ層、大きめのサイズの３Ｍ  ＥＮＶＩＳＩＯＮ  Ｍａｔｔｅ  ８５５０  Ｏｖｅｒｌａｍｉｎａｔｅ（いずれもミネソタ州Ｓｔ．Ｐａｕｌの３Ｍ  Ｃｏｍｐａｎｙから入手可能）、２ミルの小さめのサイズのＰＥＴスペーサ層、及び環境光被照射層を使用して、見る人の最も近くから床まで連続的に、実証用の高輝度境界ＳＡＦＥＴＹ  ＷＡＬＫを構築した。
【００３１】
小さめのサイズの６２０Ｂ  ＳＡＦＥＴＹ  ＷＡＬＫ材料は、プリントされた標識及び環境光被照射層の寸法よりも縁部をおよそ１／２インチ小さく切断した。Ｒｏｌａｎｄ  ＳＰ３００ｉプリンタを使用して、大きめのサイズの８５５０オーバーラミネートを非接着面上にプリントした。プリント面を乾燥させ、次いでＳＡＦＥＴＹ  ＷＡＬＫ接着剤上の中央に配置してこれに接着し、これにより、ＳＡＦＥＴＹ  ＷＡＬＫ接着剤内に挟み込まれたプリントされた像を部分的に保護した。２ミルの小さめのサイズのＰＥＴ層を、８５５０接着層と環境光照射環境光被照射層の転向フィルムとの間に空隙を確保するがフィルム積層体の縁部の周囲では８５５０から接着層が提供されるようにして、８５５０の中央に接着した。
【００３２】
環境光被照射層は、米国特許第８，９１５，００２号「プリントされたグラフィック用の自発光する標示」に記載されているような、及び図４に見られるような、鋸刃形状の機構を備えており、この環境光被照射層を、空隙を維持するために、２ミルの小さめのサイズのＰＥＴ層と整列させた。環境光被照射層の背面を蒸着アルミニウムで被覆して、高反射表面を得た。
【００３３】
次いで、イソプロピルアルコールで床をきれいにしてワックスを除去し、続いて大きめのサイズの８５５０オーバーラミネートの縁部を床に接着することによって、標識を床に密着させた。結果として得られる構造の黄色の領域を、比較例１と比較可能な頭上の蛍光照明直下の位置に高輝度境界の標識を配置した状態で、Ｍｉｎｏｌｔａのカメラを用いて測定した。結果を表１に記録する。
【００３４】
実施例３−サンプル構造のパターン化ＳＡＦＥＴＹ  ＷＡＬＫ
６２０Ｂ  ＳＡＦＥＴＹ  ＷＡＬＫの複数の縞部、３Ｍ  ＥＮＶＩＳＩＯＮ  Ｍａｔｔｅ  ８５５０  Ｏｖｅｒｌａｍｉｎａｔｅ層（いずれもミネソタ州Ｓｔ．Ｐａｕｌの３Ｍ  Ｃｏｍｐａｎｙから入手可能）、２ミルのＰＥＴスペーサ層、及び環境光被照射層を使用して、見る人の最も近くから床まで連続的に、実証用のパターン化ＳＡＦＥＴＹ  ＷＡＬＫを構築した。
【００３５】
６２０Ｂ  ＳＡＦＥＴＹ  ＷＡＬＫ材料を切断して、黄色及び黒色の斜めの縞模様のパターンのプリントされた黒色の縞部と同じ形状及びサイズの、複数の斜めの縞部とした。次いでＳＡＦＥＴＹ  ＷＡＬＫ材料のストリップを、黄色及び黒色の斜めの縞模様のパターンのプリントされた黒色の領域のみに接着した。Ｒｏｌａｎｄ  ＳＰ３００ｉプリンタを使用して、大きめのサイズの８５５０オーバーラミネートを非接着面上にプリントし、プリントされた領域の全ての縁部上に、公称１／２インチの透明な境界を残した。プリント面を乾燥させ、次いでＳＡＦＥＴＹ  ＷＡＬＫ接着剤上の中央に配置し、ＳＡＦＥＴＹ  ＷＡＬＫストリップがプリントされたパターン上の黒色の縞部と整列した状態で、ＳＡＦＥＴＹ  ＷＡＬＫ接着剤に接着した。２ミルのＰＥＴ層を、８５５０接着層と環境光被照射層の転向フィルムとの間に空隙を確保するがフィルム積層体の縁部の周囲では８５５０から接着層が提供されるようにして、８５５０の中央に接着した。
【００３６】
環境光被照射層は、米国特許第８，９１５，００２号「プリントされたグラフィック用の照射式の標示」において図４の通りに記載されているような鋸刃形状の機構を備えており、この環境光被照射層を、空隙を維持するために２ミルのＰＥＴ層と整列させた。環境光被照射層の背面を蒸着アルミニウムで被覆して、高反射表面を得た。次いで、イソプロピルアルコールで床をきれいにしてワックスを除去し、続いて大きめのサイズの８５５０オーバーラミネートの端部を床に接着することによって、標識を床に密着させた。結果として得られる構造の黄色の領域を、比較例１と比較可能な頭上の蛍光照明直下の位置にパターン化ＳＡＦＥＴＹ  ＷＡＬＫ標識を配置した状態で、Ｍｉｎｏｌｔａのカメラを用いて測定した。結果を表１に記録する。
【００３７】
実施例４−サンプル構造の複数方向ＳＡＦＥＴＹ  ＷＡＬＫ
実証用の複数方向ＳＡＦＥＴＹ  ＷＡＬＫを、下にある環境光被照射層を切断して２つの個片とし、１／２を１８０度回転させたことを除いて、高輝度境界サンプル構造と同じように構築した。このようにすると、標識の半分はある方向から近付いてくる人から見て明るくなり、また標識の半分は、反対方向から近付いてくる人から見て明るくなった。
【００３８】
結果として得られる構造の黄色の領域を、比較例１と比較可能な頭上の蛍光照明直下の位置に複数方向ＳＡＦＥＴＹ  ＷＡＬＫ標識を配置した状態で、Ｍｉｎｏｌｔａのカメラを用いて測定した。結果を表１に記録する。
【００３９】
測定データ
上記した標識を製作し、全ての標識の黄色の部分の上で輝度を測定した。ＩＪ１８０黄色基準値（比較例１）で除算して、相対的な利得を計算した。
【表１】
2018533682.tif 000003
【図１】
2018533682.tif 000004
【図２】
2018533682.tif 000005
【図３】
2018533682.tif 000006
【図４】
2018533682.tif 000007
【図５】
2018533682.tif 000008
【図６】
2018533682.tif 000009
【図７】
2018533682.tif 000010
【図８】
2018533682.tif 000011
【図９】
2018533682.tif 000012
【国際調査報告】
2018533682.tif 000013
2018533682.tif 000014
2018533682.tif 000015
2018533682.tif 000016